(57)【要約】【課題】アイドルストップ中の車両の予期せぬ挙動を回避しやすくするとともに燃費を向上させることができるようにした、エンジン制御装置を提供する。【解決手段】  アイドルストップ制御手段１５によるエンジン１の初回の自動停止を経験するまでは、走行時アイドルストップ条件に路面勾配取得手段１１により取得された路面勾配が所定の第一勾配値以下の平坦路であることを含み、アイドルストップ制御手段１５によるエンジン１の初回の自動停止を経験した後には、走行時アイドルストップ条件に路面勾配取得手段１１により推定された路面勾配が第一勾配値よりも大きい第二勾配値以下であることを含む。【選択図】図１
2014234748.tif 000002
【特許請求の範囲】
【請求項１】
車両が所定の設定車速以下で走行中であることを含む所定の走行時アイドルストップ条件、及び前記車両が停車中であることを含む所定の停車時アイドルストップ条件の何れかが成立した際に前記車両に搭載されたエンジンを自動的に停止させるアイドルストップ制御手段と、
前記アイドルストップ制御手段による前記エンジンの自動停止中に所定の再始動条件が成立した際に前記エンジンを自動的に再始動させるアイドルスタート制御手段と、
前記車両の位置する路面の勾配を取得する路面勾配取得手段と、
を備えたエンジン制御装置において、
前記アイドルストップ制御手段による前記エンジンの初回の自動停止を経験するまでは、前記走行時アイドルストップ条件に前記路面勾配取得手段により取得された路面勾配が所定の第一勾配値以下であることを含み、
前記アイドルストップ制御手段による前記エンジンの初回の自動停止を経験した後には、前記走行時アイドルストップ条件に前記路面勾配取得手段により取得された路面勾配が前記第一勾配値よりも大きい第二勾配値以下であることを含む
ことを特徴とする、エンジン制御装置。
【請求項２】
前記アイドルストップ制御手段による前記エンジンの初回の自動停止を経験するまでは、前記停車時アイドルストップ条件に前記路面勾配取得手段により取得された路面勾配が前記第一勾配値よりも大きい第三勾配値以下であることを含み、
前記アイドルストップ制御手段による前記エンジンの初回の自動停止を経験した後には、前記停車時アイドルストップ条件に前記路面勾配取得手段により取得された路面勾配が前記第三勾配値よりも大きい第四勾配値以下であることを含む
ことを特徴とする、請求項１に記載のエンジン制御装置。
【請求項３】
前記路面勾配取得手段は、前記車両の停車中において、前記車両の前後加速度に基づいて推定された路面勾配を取得し、前記車両の走行中において、前記車両の前後加速度と該前後加速度以外の前記車両の走行状態に対応するパラメータとに基づいて推定された路面勾配を取得する
ことを特徴とする、請求項１又は２に記載のエンジン制御装置。
【請求項４】
前記車両に搭載される装置が正常か異常かを診断する診断手段を備え、
前記アイドルスタート制御手段は、前記エンジンの自動停止中に前記診断手段により前記装置が異常と診断された場合、前記エンジンを再始動させる
ことを特徴とする、請求項１〜３の何れか一項に記載のエンジン制御装置。
【請求項５】
前記アイドルストップ制御手段は、前記診断手段により前記装置が異常と診断された場合、前記エンジンの自動停止を禁止する
ことを特徴とする、請求項４に記載のエンジン制御装置。
【請求項６】
前記診断手段は、前記エンジンの自動停止中又は再始動中に作動する前記装置が正常か異常かを前記エンジンの自動停止中又は再始動中に診断する
ことを特徴とする、請求項４又は５に記載のエンジン制御装置。
【請求項７】
前記装置は、前記エンジンの自動停止中かつ前記車両の停車中に前記車両の制動力を維持して停車状態を保持する停車保持手段を含む
ことを特徴とする、請求項４〜６の何れか一項に記載のエンジン制御装置。
【発明の詳細な説明】
【技術分野】
【０００１】
本発明は、車両に搭載されたエンジンの制御装置に関するものである。
【背景技術】
【０００２】
車両のエンジン制御の一つとして、アイドルストップアンドスタート制御（以下、「ＩＳＳ制御」と略称する）が開発されている。このＩＳＳ制御では、所定のアイドルストップ条件が成立するとエンジンを自動的に停止させるアイドルストップを実施し、その後、所定の再始動条件が成立するとエンジンを自動的に再始動させるアイドルスタートを実施する。このような技術が特許文献１及び特許文献２に開示されている。
【０００３】
特許文献１の技術では、停車時の路面勾配が第一の所定値以下であることを含むアイドルストップ条件が成立すると、ＩＳＳ制御部（自動停止制御手段）によりアイドルストップが実施される。このＩＳＳ制御部は、アイドルスタートを実施する際にバッテリ電圧が低下するのを回避するための補助電源装置やエンジン停止中における車両の移動を規制するブレーキ装置などを含んでおり、その作動時には故障判定が実施される。
【０００４】
この特許文献１の技術では、ＩＳＳ制御部の故障判定が完了するまで、路面勾配が第一の所定値よりも小さい第二の所定値以下であることがアイドルストップ条件に含められ、第二の所定値よりも大きい勾配でのアイドルストップの実施が禁止される。つまり、ＩＳＳ制御部の故障判定前には、アイドルストップ及びアイドルスタートが第二の所定値以下の路面勾配でのみ実施される。したがって、ＩＳＳ制御部が正常に作動するか否かが低傾斜路（第二の所定値以下の傾斜路）で判定され、仮にＩＳＳ制御部が故障していたとしても、車両が予期せずに移動することを回避又は抑制することができるとしている。
【０００５】
特許文献２の技術では、車速が所定速度以下であることを含むアイドルストップ条件が成立すると、アイドルストップが実施される。つまり、アイドルストップの開始時点を停車時点から停車直前の走行中（所謂コースト中）に前倒しして、アイドルストップが実施される。これにより、更に燃費を向上させている。
【０００６】
この特許文献２の技術では、初回のアイドルストップ条件の判定に当たっては、車速条件を、車速がゼロ又は所定速度よりも低速に設定された設定速度以下であることに制限している。この初回の再始動条件が成立した際にアイドルストップシステムの異常有無が診断される。これらより、アイドルストップシステムの診断がされていない状態でＩＳＳ制御が実施されたときに、アイドルストップシステムが異常であったとしても、車両走行中の不具合を回避することができるとしている。
【先行技術文献】
【特許文献】
【０００７】
【特許文献１】特開２０１２―２５５３８３号公報
【特許文献２】特開２０１１―１９６２８８号公報
【発明の概要】
【発明が解決しようとする課題】
【０００８】
しかしながら、特許文献１の技術のように停車時にだけアイドルストップが実施されれば、特許文献２の技術のように走行中からアイドルストップが実施されるよりも、燃費の点で不利である。一方、特許文献２の技術のように車速条件を厳しくするだけで路面勾配を考慮せずに初回のアイドルストップ及び故障診断を実施すれば、特許文献１のように低傾斜路でのみ故障診断を実施するよりも、アイドルストップ中の車両の予期せぬ挙動を回避する上で不利である。
【０００９】
本発明の目的の一つは、上記のような課題に鑑み創案されたもので、アイドルストップ中の車両の予期せぬ挙動を回避しやすくするとともに燃費を向上させることができるようにした、エンジン制御装置を提供することである。
なお、この目的に限らず、後述する発明を実施する形態に示す各構成により導かれる作用効果であって、従来の技術によっては得られない作用効果を奏することも本発明の他の目的として位置づけることができる。
【課題を解決するための手段】
【００１０】
（１）上記の目的を達成するために、本発明のエンジン制御装置は、車両が所定の設定車速以下で走行中であることを含む所定の走行時アイドルストップ条件、及び前記車両が停車中であることを含む所定の停車時アイドルストップ条件の何れかが成立した際に前記車両に搭載されたエンジンを自動的に停止させるアイドルストップ制御手段と、前記アイドルストップ制御手段による前記エンジンの自動停止中に所定の再始動条件が成立した際に前記エンジンを自動的に再始動させるアイドルスタート制御手段と、前記車両の位置する路面の勾配を取得する路面勾配取得手段と、を備えたエンジン制御装置において、前記アイドルストップ制御手段による前記エンジンの初回の自動停止を経験するまでは、前記走行時アイドルストップ条件に前記路面勾配取得手段により取得された路面勾配が所定の第一勾配値以下であることを含み、前記アイドルストップ制御手段による前記エンジンの初回の自動停止を経験した後には、前記走行時アイドルストップ条件に前記路面勾配取得手段により取得された路面勾配が前記第一勾配値よりも大きい第二勾配値以下であることを含むことを特徴としている。
【００１１】
ここで、「前記エンジンの初回の自動停止」とは、「前記エンジンを手動で始動させて車両を発進させてから初めてアイドルストップ制御手段により行われた自動停止」をいう。
なお、前記第一勾配値は、平坦路と見做すことのできる勾配値の上限として設定され、例えば２°に設定される。また、前記第二勾配値は例えば４°に設定される。
車両の停止前の走行中にエンジン自動停止を実施する際には、車両の加減速などにより前後加速度が作用したり走行振動が作用するので、路面勾配の精度を確保することが難しい。精度の低い路面勾配を用いてエンジン自動停止を実施した場合、エンジン自動停止の実施にかかる不具合を招くおそれがあるため、この点を考慮することも有効である。
【００１２】
（２）そこで、前記アイドルストップ制御手段による前記エンジンの初回の自動停止を経験するまでは、前記停車時アイドルストップ条件に前記路面勾配取得手段により取得された路面勾配が前記第一勾配値よりも大きい第三勾配値以下であることを含み、前記アイドルストップ制御手段による前記エンジンの初回の自動停止を経験した後には、前記停車時アイドルストップ条件に前記路面勾配取得手段により取得された路面勾配が前記第三勾配値よりも大きい第四勾配値以下であることを含むことが好ましい。
（３）前記路面勾配取得手段は、前記車両の停車中において、前記車両の前後加速度に基づいて推定された路面勾配を取得し、前記車両の走行中において、前記車両の前後加速度と該前後加速度以外の前記車両の走行状態に対応するパラメータとに基づいて推定された路面勾配を取得することが好ましい。
【００１３】
（４）前記車両に搭載される装置が正常か異常かを診断する診断手段を備え、前記アイドルスタート制御手段は、前記エンジンの自動停止中に前記診断手段により前記装置が異常と診断された場合、前記エンジンを再始動させることが好ましい。この再始動は、前記所定の再始動条件が成立しなくても行う。
（５）前記アイドルストップ制御手段は、前記診断手段により前記装置が異常と診断された場合、前記エンジンの自動停止を禁止することが好ましい。
（６）前記診断手段は、前記エンジンの自動停止中又は再始動中に作動する前記装置が正常か異常かを前記エンジンの自動停止中又は再始動中に診断することが好ましい。
（７）前記装置は、前記エンジンの自動停止中かつ前記車両の停車中に前記車両の制動力を維持して停車状態を保持する停車保持手段を含むことが好ましい。
【発明の効果】
【００１４】
本発明のエンジン制御装置によれば、アイドルストップ制御手段によるエンジンの初回の自動停止を経験するまでは、路面勾配取得手段により取得された路面勾配が、例えば平坦路と見做すことのできる勾配値の上限として設定された所定の第一勾配値以下であることを走行時アイドルストップ条件に含むため、初回のエンジン自動停止が車両の走行中に実施される場合には、エンジン自動停止が第一勾配値以下の路面勾配において実施される。これにより、アイドルストップアンドスタート制御装置などの本エンジン制御装置にかかる装置に異常があったとしても、エンジン自動停止が実施された車両の予期せぬ挙動を回避しやすくすることができる。
また、エンジンの初回の自動停止を経験した後には、路面勾配取得手段により取得された路面勾配が第一勾配値よりも大きい第二勾配値以下であることを走行時アイドルストップ条件に含むため、初回のエンジン自動停止を経験した後には、第一勾配値よりも大きい第二勾配値以下であれば、エンジン自動停止を走行中に実施することができる。つまり、初回のエンジン自動停止を経験した後には、平坦路に加えて第二勾配値以下の傾斜路においても、エンジン自動停止を走行中に実施することができる。したがって、走行中のエンジン自動停止の実施頻度を増やすことにより、燃費を向上させることができる。
これらより、エンジン自動停止中の車両の予期せぬ挙動を回避しやすくするとともに、エンジン自動停止の実施頻度を増やすことにより燃費を向上させることができる。
【図面の簡単な説明】
【００１５】
【図１】本発明の一実施形態にかかるエンジン制御装置を模式的に示す全体図である。
【図２】本発明の一実施形態にかかるエンジン制御装置により実施される制御の手順を示すフローチャートである。
【発明を実施するための形態】
【００１６】
以下、図面を参照して、本発明に係る実施の形態について説明する。本実施形態のエンジン制御装置は、車両に搭載される。この車両には、乗用自動車等の軽自動車や普通自動車や、トラックやバスなどの中型自動車或いは大型自動車が含まれる。
【００１７】
〔一実施形態〕
〔構成〕
図１を参照して、一実施形態にかかるエンジン制御装置の全体構成を説明する。このエンジン制御装置は、所定のアイドルストップ条件が成立した際にエンジン１を自動的に停止させるアイドルストップを実施し、このアイドルストップの実施中に再始動条件が成立した際にエンジン１を自動的に再始動するアイドルスタート（エンジン再始動）を実施するアイドルストップアンドスタート制御（以下、「ＩＳＳ制御」と略称する）を実施する。
【００１８】
このエンジン制御装置は、ＥＣＵ（Electronic Control Unit）１０を有する。このＥＣＵ１０は、マイクロプロセッサやＲＯＭ（Read Only Memory），ＲＡＭ（Random Access Memory）等を集積したＬＳＩ（Large Scale Integration）デバイスや組み込み電子デバイスとして構成される電子制御装置である。
このＥＣＵ１０の出力側には、ＥＣＵ１０によって制御される各種の装置１，３〜５が接続され、これらの装置１，３〜５に電力を供給するバッテリ２が設けられている。一方、ＥＣＵ１０の入力側には、ＩＳＳ制御及びこれに伴う制御に必要な情報を検出する各種の検出器６〜９が接続されている。さらに、ＥＣＵ１０の入力側には、イグニッションスイッチ（イグニッションＳＷ）２０が接続されている。なお、エンジン制御装置には、ＥＣＵ１０に加えて、その出力側の各装置１〜５及び入力側の各検出器６〜９が含まれる。
【００１９】
まず、ＥＣＵ１０の出力側に設けられた各装置１〜５について説明する。
エンジン１は、ＩＳＳ制御の対象となる内燃機関である。図示省略するが、このエンジン１には、自身を始動（クランキング）するためのスタータモータが付設されている。バッテリ２からスタータモータに給電することで、エンジン１が始動される。
【００２０】
バッテリ２は、上述のように装置１，３〜５をはじめとした車載の電装機器に電力を供給する二次電池である。このバッテリ２は、エンジン１の駆動で作動するオルタネータ（図示略）により充電され、各種の装置１，３〜５をはじめとした車載の電装機器の作動により放電される。
このバッテリ２は、その容量に限りがあるため、各種の装置１，３〜５などの消費電力が大きくなると電圧降下が発生するおそれがある。例えば、エンジン１が停止しているときにはオルタネータが作動していないため電圧降下が発生しやすい。特に、エンジン１の始動時には、オルタネータが作動していないうえに大量の電力を必要とするため、電圧降下が発生しやすい。
【００２１】
そこで、バッテリ２によう印加電圧の降下を補償する昇圧デバイスとして、ＤＣ/ＤＣコンバータ３が備えられている。このＤＣ/ＤＣコンバータ３は、その入力側にバッテリ２が接続され、その出力側には電力供給線（実線で示す）を介して以下に説明する停車保持装置（停車保持手段）４，その他の装置５が接続されている。
ＤＣ/ＤＣコンバータ３は、切替スイッチ（図示略）などにより、バッテリ２からの入力電圧を昇圧して出力する作動モードと、バッテリ２からの入力電圧を昇圧せずに（その電圧のまま）出力する非作動モードとが切り替え可能に構成されている。
【００２２】
停車保持装置４は、車両の制動力を維持して車両の停止状態を保持するための電動のものであり、車両を制動する制動装置（所謂ブレーキ装置）４ａとこれを作動させる作動油を吐出する電動ポンプ４ｂとを有する。この停車保持装置４では、電動ポンプ４ｂを作動させて作動油を吐出することにより制動装置４ａが作動する。すなわち、停車時に電動ポンプ４ｂを作動させると制動装置４ａが作動して車両の停止状態が保持され、電動ポンプ４ｂを停止させると制動装置４ａは作動せず車両の停止が解放される。
その他の装置５（破線で示す）は、例えばカーナビゲーション装置やＥＣＵ１０以外のＥＣＵといった印加電圧の降下で不具合を起こし得る装置である。なお、その他の装置５は設けられていなくてもよい。
【００２３】
次に、ＥＣＵ１０の入力側に設けられた各検出器６〜９について説明する。
ブレーキスイッチ（ブレーキＳＷ）６は、運転者の制動操作を検出するものである。このブレーキスイッチ６により検出された制動操作の情報は、ＥＣＵ１０に伝達される。なお、運転者の制動操作を検出するものであれば、ブレーキスイッチ６に限らず、ブレーキ液圧センサといった他の検出器を用いてもよい。この場合、ブレーキ液圧センサにより検出されたブレーキ液圧の情報がＥＣＵ１０に伝達される。
車速センサ７は、車両の速度（車速）を検出するものである。この車速センサ７により検出された車速Ｖの情報は、ＥＣＵ１０に伝達される。
【００２４】
Ｇセンサ８は、車両の前後加速度αSを検出するものである。このＧセンサ８は、車両の走行路面の勾配を検出するために設けられている。Ｇセンサ８により検出された車両の前後加速度αSは、ＥＣＵ１０に伝達される。
その他の検出器９（破線で示す）は、ＥＣＵ１０がＩＳＳ制御を実施するにあたって、ブレーキスイッチ６，車速センサ７及びＧセンサ８により検出された各情報の他に必要な情報（例えば運転者によるアクセル操作の情報或いはステアリング操作の情報やバッテリ２の充電状態の情報）があれば、その他の必要な情報を検出するものである。もちろん、その他の情報が必要なければ、その他の検出器９を設けなくてよい。
【００２５】
イグニッションスイッチ２０は、ロック，アクセサリ，イグニッションオン，スタートの各ポジションを有し、スタートポジションに操作すればスタータスイッチとして機能し、運転者により手動でエンジン１を始動させることができる。このイグニッションスイッチ２０をイグニッションオンにすれば、エンジン１のほか、ＥＣＵ１０などを含む本エンジン制御装置などの車両にかかる種々のシステムを起動状態とすることができる。このイグニッションスイッチ２０に接続されたＥＣＵ１０は、イグニッションスイッチ２０の操作信号から運転者による手動でのエンジン１の始動を検知する。
【００２６】
ＥＣＵ１０はエンジン１に関する広汎なシステムを制御するが、以下の説明では、ＩＳＳ制御にかかる構成に着目してＥＣＵ１０を説明する。
ＥＣＵ１０は、各機能要素として、車両の位置する路面の勾配（以下、「路面勾配」と略称する）θを取得する路面勾配取得部（路面勾配取得手段）１１と、車両に搭載される各種装置、特にアイドルストップ制御の実施中に作動する各要素が正常か異常かを診断する診断部（診断手段）１２と、アイドルストップ条件判定部１４と、アイドルストップ制御部（アイドルストップ制御手段）１５と、アイドルスタート制御部（アイドルスタート制御手段）１６とを有する。
【００２７】
このＥＣＵ１０は、アイドルストップの実施によりエンジン１が自動停止され、かつ車両が停車している時に、車両の制動力を維持して車両の停止状態を保持する制御信号を停車保持装置４に出力する。具体的には、アイドルストップが実施され、且つ、車速センサ７により検出された車速Ｖが停車を示すときには、ＥＣＵ１０が停車保持装置４の電動ポンプ４ｂを作動させることで制動装置４ａの作動を維持させることにより、車両の停止状態を保持する。この後、アイドルスタートの実施が完了すると、ＥＣＵ１０が停車保持装置４の電動ポンプ４ｂを停止させ制動装置４ａの作動を停止することで車両の停止が解放される。
なお、「車速センサ７により検出された車速Ｖが停車を示す」とは、車速センサ７により検出された車速Ｖが０ｋｍ/ｈやその極近傍の停車判定車速以下であることを意味する。
【００２８】
また、ＥＣＵ１０は、アイドルストップの実施によりエンジン１が停止されるとＤＣ/ＤＣコンバータ３を作動させる制御信号を出力し、アイドルスタートの実施によるエンジン１の再始動が完了すると、ＤＣ/ＤＣコンバータ３を停止させる制御信号を出力する。つまり、ＥＣＵ１０は、アイドルストップ制御によりエンジン１が停止されてからアイドルスタート制御により再始動が完了するまでの間にＤＣ/ＤＣコンバータ３を作動させ、バッテリ２の電圧降下を補償する。特にアイドルスタートの実施中には、エンジン１の始動に大量の電力を必要とするためバッテリ２からの電圧が降下しやすいが、この間にもＤＣ/ＤＣコンバータ３が作動しており、停車保持装置４やその他の装置５への印加電圧の降下は補償される。
【００２９】
以下、路面勾配取得部１１，診断部１２，アイドルストップ条件判定部１４，アイドルストップ制御部１５，アイドルスタート制御部１６の順に説明する。
路面勾配取得部１１は、路面勾配θを取得するものであるが、ここでは、演算推定された路面勾配θを取得するものを説明する。この路面勾配取得部１１は、その機能要素として、停車中路面勾配推定部１１ａと走行中路面勾配推定部１１ｂとを有し、停車中路面勾配推定部１１ａにより推定された路面勾配θS又は走行中路面勾配推定部１１ｂによって推定された路面勾配θCを取得する。この路面勾配取得部１１は、車速センサ７により検出された車速Ｖが停車を示していれば停車中路面勾配推定部１１ａによって路面勾配θSを推定し、車速センサ７により検出された車速Ｖが停車を示していなければ走行中路面勾配推定部１１ｂによって路面勾配θCを推定する。
【００３０】
まず、停車中路面勾配推定部１１ａについて説明する。停車中に路面勾配θSを推定するときには、車両の走行による前後加速度を考慮せずにＧセンサ８により検出される前後加速度αSを用いる。
停車中路面勾配推定部１１ａは、Ｇセンサ８により検出された車両の前後加速度αSと重力加速度ｇとを用いて、下記の式（１）により停車中における路面勾配θSを推定する。
ｓｉｎθS＝αS／ｇ      ・・・式（１）
【００３１】
次に、走行中路面勾配推定部１１ｂについて説明する。車両の走行中には、同じ路面勾配であっても、走行状態によってＧセンサ８により検出される前後加速度αSが変動する。このため、Ｇセンサ８により検出された前後加速度αSを車両の走行状態に応じて補正して、路面勾配θCを推定している。詳細には、以下の式（２）及び式（３）を用いて路面勾配θCが推定される。
【００３２】
まず、車速センサ７により検出された車速Ｖを時間微分する下記の式（２）により車両加速度αVを算出する。
αV＝ｄＶ／ｄｔ      ・・・式（２）
そして、Ｇセンサ８により検出された前後加速度αSと式（２）で算出された車両加速度αVとの差分を重力加速度ｇで除算する下記の式（３）により路面勾配θCを求める。
ｓｉｎθC＝（αS−αV）／ｇ      ・・・式（３）
【００３３】
さらに、走行中路面勾配推定部１１ｂは、ブレーキスイッチ６により制動操作が検出されていれば、上記の式（３）により算出された路面勾配を登坂勾配側（登坂路であれば急勾配側，降坂路であれば緩勾配側）に補正して路面勾配θCを推定してもよい。これは、同じ路面勾配を走行する車両の姿勢は、制動操作がされていないときよりも制動操作がされている時の方が所謂ダイブした姿勢となるため、路面勾配に対して車両の姿勢が傾いた分を補正することにより、路面勾配の推定精度を向上させることができるからである。
【００３４】
このように、走行中路面勾配推定部１１ｂは、Ｇセンサ８により検出された前後加速度αSや車速センサ７により検出された車速Ｖやブレーキスイッチ６により検出された制動操作の有無といった車両の走行状態に対応するパラメータに基づいて、走行中の路面勾配θCを推定する。
【００３５】
診断部１２は、車両に搭載された各種装置を診断する。診断部１２により診断される各種装置は、作動中であっても非作動中であっても診断の精度が略変わらない装置と、非作動中よりも作動中の方が高い精度で診断することができる装置とに大別することができる。また、各種装置には、本エンジン制御装置の一部装置も含まれる。このため、診断部１２は、エンジン制御装置の自己診断を実施するものとも言える。
【００３６】
診断部１２による各種装置の診断は、任意のタイミングで実施することができるが、ここでは、エンジン１が手動で始動されたときと、アイドルストップが実施されたときと、アイドルスタートが実施されたときとを例示して説明する。例えば、エンジン１が手動で始動されたときには各種センサが診断され、アイドルストップが実施されたときには停車保持装置４などのアイドルストップ制御にかかる各装置が診断され、アイドルスタートが実施されたときには後述するＤＣ/ＤＣコンバータ３などのエンジン１の始動にかかる各装置が診断される。
【００３７】
この診断部１２は、アイドルストップ制御の実施中に作動する各要素を何れも診断しうるが、ここでは、ＩＳＳ制御の実施中、即ち、エンジン１の自動停止中及び再始動中に作動し、その作動中に診断するのに適したＤＣ/ＤＣコンバータ３及び停車保持装置４に着目して説明する。
【００３８】
ＤＣ/ＤＣコンバータ３はエンジン１の始動に伴う電圧降下時に作動するので、ＤＣ/ＤＣコンバータ３を診断するタイミングは、エンジン１が再始動されるアイドルスタート時となる。なお、アイドルスタート時以外に、運転者により手動でエンジン１が始動されたときにもＤＣ/ＤＣコンバータ３は作動するが、この場合には診断を実施しない。その理由は、手動によるエンジン１の始動時には、アイドルスタート時と同様に電圧降下が発生しやすいが、このときに、診断部１２を有するＥＣＵ１０を含むエンジン制御装置の各要素の起動が完了していないおそれがあるので、診断を正常に実施することができないおそれがあるからである。
【００３９】
はじめに、診断部１２によるＤＣ/ＤＣコンバータ３の診断を説明する。
診断部１２は、アイドルスタートの実施中にＤＣ/ＤＣコンバータ３を診断するが、これは、ＤＣ/ＤＣコンバータ３がバッテリ２の電圧を大きく昇圧させるように作動するときに診断することで、診断精度を高めることができるからである。
この診断部１２は、例えばＤＣ/ＤＣコンバータ３の出力電圧と所定の判定電圧とを比較することで、ＤＣ/ＤＣコンバータ３を診断することができる。この場合、所定の判定電圧よりも出力電圧の方が高ければＤＣ/ＤＣコンバータ３は正常と判定され、出力電圧が所定の判定電圧以下であればＤＣ/ＤＣコンバータ３は異常と判定される。ここでいう所定の判定電圧とは、例えば停車保持装置４やその他の装置５などの印加電圧が降下することで不具合を起こし得る電装機器が正常に作動する最低電圧にマージンを加えたものとして予め実験的又は経験的に設定されたものである。
【００４０】
なお、診断部１２によるＤＣ/ＤＣコンバータ３の診断は、アイドルスタートの実施中に限らず、アイドルストップによりエンジン１が停止されたときに実施してもよい。この場合、アイドルスタート中の診断に比較してＤＣ/ＤＣコンバータ３による電圧の昇圧分が低いため診断精度は低下するが、アイドルスタート時以外におけるＤＣ/ＤＣコンバータ３の作動を診断することができる。
【００４１】
次に、診断部１２による停車保持装置４の診断を説明する。
診断部１２は、アイドルストップの実施によりエンジン１が停止されてからアイドルスタートの実施が完了するまでに停車保持装置４を診断する。すなわち、停車保持装置４がアイドルストップの実施によるエンジン１の停止中に車両の停止状態を保持するためのものであるため、診断部１２は、車両を停止保持すべき期間に停車保持装置４を診断する。具体的には、診断部１２は、停車保持装置４における制動装置４ａ及び電動ポンプ４ｂの作動状態が正常か異常かを判定する。
【００４２】
例えば、制動装置４ａを作動させる作動油の油圧又は電動ポンプ４ｂから吐出される作動油の油圧を所定の判定油圧と比較することで、停車保持装置４を診断することができる。この場合、所定の判定油圧よりも制動装置４ａ又は電動ポンプ４ｂにかかる作動油の油圧の方が高ければ正常と判定され、低ければ異常と判定される。ここでいう所定の判定油圧とは、車両の停止状態を保持することができるように制動装置４ａを作動させる作動油の油圧の最低油圧にマージンを加えたものとして予め実験的又は経験的に設定されたものである。
なお、ＤＣ/ＤＣコンバータ３の診断で上述のように、制動装置４ａや電動ポンプ４ｂに印加される電圧と所定の判定電圧とを比較しても、停車保持装置４を診断することができる。
【００４３】
ＥＣＵ１０は、診断部１２を用いて「診断条件」の成否を判定し、診断条件が成立下で詳細を後述するアイドルストップ条件が成立すると、アイドルストップ制御部１５によりアイドルストップを実施する。
「診断条件」とは、「診断部１２により各種装置の異常が診断されていないこと」である。この診断条件は、診断部１２により各種装置の正常が診断されていればもちろん成立するが、これに加えて、各種装置が診断部１２により未だ診断されていないときにも成立する。言い換えれば、診断条件は、各種装置が正常か異常か不明なときにも成立する。
【００４４】
アイドルストップ条件は、「車速条件」，「路面勾配条件」及び「その他の条件」とからなる。すなわち、アイドルストップ条件の成立には、「車速条件」の成立と、「路面勾配条件」の成立と、「その他の条件」の成立との何れもが必要である。
「車速条件」とは、「車速センサ７により検出された車速Ｖが所定の設定車速Ｖ1を下回ったこと」である。ここでいう所定の設定車速Ｖ1は、運転者が停車させようとしていると見做すことのできる停車直前の上限車速として予め実験的又は経験的に設定されており、例えば１０ｋｍ/ｈ〜１５ｋｍ/ｈの車速を用いることができる。
【００４５】
この車速条件の成立時には、車速センサ７により検出された車速Ｖが所定の設定車速Ｖ1を下回っているだけなので、車速Ｖが停車を示す（Ｖ≒０ｋｍ/ｈ）場合とそうでない場合とが含まれる。車速Ｖが停車を示すときに成立するアイドルストップ条件が停車時アイドルストップ条件であり、そうでないときに成立するアイドルストップ条件が走行時アイドルストップ条件である。
【００４６】
「路面勾配条件」は、車両の停車中と走行中とでそれぞれ異なり、さらに、初回のアイドルストップ（エンジン１の自動停止）を経験したか否かで異なる。なお、初回のアイドルストップとは、運転者により手動でエンジン１を始動させて車両を発進させてから初めて実施されるエンジン１の自動停止をいう。また、アイドルストップの経験は、運転者による手動でのエンジン１の停止によりリセットされる。
【００４７】
以下、「路面勾配条件」について、停車中のものを説明し、その次に走行中のものを説明する。この路面勾配条件の判定では、路面勾配取得部１１により取得された路面勾配θを用いる。具体的には、車速に応じて、停車中路面勾配推定部１１ａにより推定された路面勾配θS、又は走行中路面勾配推定部１１ｂにより推定された路面勾配θCを用いる。
停車中の路面勾配条件は、初回のアイドルストップを経験するまで、即ち、初回のアイドルストップを未経験である場合と、初回のアイドルストップを経験した後の場合とでは異なる。
【００４８】
初回のアイドルストップを経験するまでの停車中の路面勾配条件は、停車中路面勾配推定部１１ａにより推定された路面勾配θSが第一停車中路面判定勾配（第三勾配値）θPS1を含んでこれよりも緩やかであることである。
このように、初回のアイドルストップを経験するまでは、停車中路面勾配推定部１１ａにより推定された路面勾配θSが第一停車中路面判定勾配θPS1を含んでこれよりも緩やかであることが、停車時アイドルストップ条件に含まれる。
【００４９】
一方、初回のアイドルストップを経験した後の停車中の路面勾配条件は、停車中路面勾配推定部１１ａにより推定された路面勾配θSが第二停車中路面判定勾配（第四勾配値）θPS2を含んでこれよりも緩やかであることである。この第二停車中路面判定勾配θPS2は、第一停車中路面判定勾配θPS1よりも大きく設定されている。
このように、初回のアイドルストップを経験した後には、停車中路面勾配推定部１１ａにより推定された路面勾配θSが第二停車中路面判定勾配θPS2を含んでこれよりも緩やかであることが、停車時アイドルストップ条件に含まれる。
【００５０】
また、走行中の路面勾配条件は、初回のアイドルストップを経験するまでの場合と、初回のアイドルストップを経験した後の場合とでは異なる。
初回のアイドルストップを経験するまでの走行中の路面勾配条件は、走行中路面勾配推定部１１ｂにより推定された路面勾配θCが第一走行中路面判定勾配（第一勾配値）θPC1を含んでこれよりも緩やかであることである。この第一走行中路面判定勾配θPC1は、第一停車中路面判定勾配θPS1よりも小さく設定されている。
【００５１】
このように、初回のアイドルストップを経験するまでは、走行中路面勾配推定部１１ｂにより推定された路面勾配θCが第一走行中路面判定勾配θPC1を含んでこれよりも緩やかであることが、走行時アイドルストップ条件に含まれる。
【００５２】
一方、初回のアイドルストップを経験した後の走行中の路面勾配条件は、走行中路面勾配推定部１１ｂにより推定された路面勾配θCが第二走行中路面判定勾配（第二勾配値）θPC2を含んでこれよりも緩やかであることである。
このように、初回のアイドルストップを経験した後には、走行中路面勾配推定部１１ｂにより推定された路面勾配θCが第二走行中路面判定勾配θPC2を含んでこれよりも緩やかであることが、走行時アイドルストップ条件に含まれる。
【００５３】
上記の停車中路面判定勾配θPS及び走行中路面判定勾配θPCは、予め実験的又は経験的に設定されたものであるが、停車中路面判定勾配θPSよりも走行中路面判定勾配θPCの方が平坦（勾配値が小さい）側に設定されている。逆に言えば、走行中路面判定勾配θPCよりも停車中路面判定勾配θPSの方が急勾配（勾配値が大きい）側に設定されている。
その理由は、走行中の路面勾配θCの推定には、車速の増減度合や制動操作の有無といった車両の走行状態の変化が外乱成分として作用し得るのに対し、停車中の路面勾配θSの推定にかかる外乱成分が作用し難いからである。例えば、車両の走行中には車両の姿勢等が変化し易いが、停車中には車両の姿勢等は基本的に変化しないため、停車中の方が走行中よりも路面勾配θの推定精度を確保しやすいからである。
【００５４】
したがって、より確実に推定精度が確保された停車中の路面勾配θSを判定するための停車中路面判定勾配θPSを、走行中の路面勾配θCを判定するための走行中路面判定勾配θPCよりも急勾配側に設定することで、路面勾配条件が成立する勾配の範囲が走行中よりも停車中の方が広くなるようにして、路面勾配条件が走行中よりも停車中の方が成立しやすくなるようにしている。
【００５５】
なお、第一停車中路面判定勾配θPS1としては、例えば５°といった値を用いることができ、第二停車中路面判定勾配θPS2としては、例えば１０°といった値を用いることができる。また、第一走行中路面判定勾配θPC1としては、平坦路と見做すことのできる勾配値の上限として例えば２°といった値を用いることができ、第一停車中路面判定勾配θPC2としては、例えば４°といった値を用いることができる。
【００５６】
次に、「その他の条件」について説明する。
「その他の条件」は、「アイドルストップを実施するのに支障がない諸々の前提条件が何れも成立するとともに運転者による車両停止意志が検出された」ことである。
その他の条件にかかる「諸々の前提条件」には、エンジン１が暖気運転を完了していること、エンジン１で駆動される機器が非作動或いは作動要求がないこと（例えば、エンジン１で駆動されるコンプレッサを用いるエアコンが非作動であることや、エンジン１で駆動されるオルタネータによる発電電力を使用する車両の機器類が非作動であること、エンジン２の吸気負圧を利用するブレーキのマスタバック負圧が所定値以上であること等）、排気浄化用の触媒が活性化していること、エンジン１の作動にかかるセンサ類が正常であること等などが含まれる。
【００５７】
「運転者による車両停止意思が検出される」とは、「サービスブレーキが操作されていることが検出される」ことであるが、アクセル操作がされていないこと（エンジン１がアイドリング状態であること）も必要な前提条件である。
なお、上記したアイドルストップ条件に、例えば運転者によりステアリング操作がされていないことやバッテリ２の充電状態がスタータモータ（図示略）でエンジン１を始動させるのに十分であることなどの条件を加重してもよい。この場合、アイドルストップ制御部１５は、その他の検出器９による検出情報に基づき加重された条件の成否を判定して各アイドルストップ実施条件の成否を判定する。
【００５８】
アイドルストップ条件判定部１４は、アイドルストップ条件の成否を判定するものである。
具体的に言えば、アイドルストップ条件判定部１４は、「車速条件」，「路面勾配条件」及び「その他の条件」の何れもが成立していれば、アイドルストップ条件の成立を判定し、「車速条件」，「路面勾配条件」及び「その他の条件」の何れかでも不成立であれば、アイドルストップ条件の不成立を判定する。
【００５９】
アイドルストップ制御部１５は、アイドルストップ条件判定部１４によりアイドルストップ条件の成立が判定されるとアイドルストップを実施するものである。言い換えれば、アイドルストップ制御部１５は、アイドルストップ条件が成立した際にエンジン１を自動停止させるものである。
さらに、アイドルストップ制御部１５は、診断部１２によりＤＣ/ＤＣコンバータ３や停車保持装置４をはじめとした各種装置が異常と診断された場合、アイドルストップの実施を禁止する。つまり、ＥＣＵ１０により「診断条件」の不成立が判定されると、アイドルストップ制御部１５は、アイドルストップの実施を禁止する。
アイドルスタート制御部１６は、再始動条件の成立を判定するとアイドルスタートを実施するものである。
【００６０】
「再始動条件」とは、「運転者による車両発進意思が検出されたこと、及び、上記の各アイドルストップ条件の諸々の前提条件の何れかが不成立となったこと、の少なくとも何れかが成立すること」である。「運転者による車両発進意思が検出された」とは、「運転者によるサービスブレーキの操作解除が検出された」ことである。したがって、本実施形態では、アイドルストップ条件が成立すると再始動条件は非成立となり、逆に、再始動条件が成立するとアイドルストップ条件は非成立となる。
【００６１】
アイドルスタート制御部１６は、アイドルストップが実施されているときに再始動条件の成立を判定するとアイドルスタートを実施する。逆に、アイドルストップが実施されているときに再始動条件の非成立を判定するとアイドルスタートを実施しない。
このアイドルスタート制御部１６は、ブレーキスイッチ６からの検出信号に基づいて運転者による車両の制動操作の有無を判定すると共に、上記の諸々の前提条件の成立，不成立を判定して、再始動条件の成否を判定する。
【００６２】
なお、運転者の車両発進意思にかかる再始動条件は、上記のものに限らず、例えば運転者によりアクセル操作やステアリング操作がされたこととしてもよい。この場合、アイドルスタート制御部１６は、その他の検出器９からの検出情報に基づいて再始動条件の成否を判定する。
さらに、アイドルスタート制御部１６は、アイドルストップ中に診断部１２によりＤＣ/ＤＣコンバータ３や停車保持装置４をはじめとした各種装置が異常と診断された場合、再始動条件が成立していなくても、アイドルスタートを実施する。
【００６３】
〔フローチャート〕
次に、図２に示すフローチャートを参照して、ＥＣＵ１０で実施される制御手順を説明する。この図２中に示すフラグＦは、０であれば診断部１２により装置の異常が診断されてたことを示し、１であれば診断部１２により装置の異常が診断されていないことを示す。このフラグＦは、診断条件の成否にも対応しており、１であれば診断条件の成立を示し、０であれば診断条件の不成立を示す。このフローは、手動によりエンジン１が始動（イグニッションオン）されると開始され、所定の制御処理周期で繰り返し実施される。また、フローチャート中の各ステップは、ＥＣＵ１０のハードウェアに割り当てられた各機能がソフトウェア（コンピュータプログラム）によって動作することで実施される。
【００６４】
まず、ステップＳ１０では、フラグＦが０か否かを判定する。つまり、ステップＳ１０では、診断条件の成否を判定している。診断条件が成立（Ｆ＝１）であればステップＳ２０へ移行し、診断条件が不成立（Ｆ＝０）であればステップＳ１００へ移行する。
ステップＳ２０では、診断部１２により各種装置が正常か異常かを診断する。そして、ステップＳ２２へ移行する。
ステップＳ２２では、ステップＳ２０の診断によって各種装置が異常診断されたか否かを判定する。異常診断されていればステップＳ２３へ移行し、正常診断されていれば、ステップＳ３０へ移行する。
【００６５】
ステップＳ３０では、アイドルストップ条件にかかる「その他の条件」が成立したか否かを判定する。この「その他の条件」が成立していればステップＳ３１へ移行し、成立していなければ本制御処理周期を終了（以下、「リターン」という）する。
ステップＳ３１では、車速Ｖが所定の設定車速Ｖ1未満か否かを判定している。すなわち、このステップＳ３１では、車速Ｖが所定の設定車速Ｖ1を下回ったか否かを判定している。車速Ｖが所定の設定車速Ｖ1未満であればステップＳ３２へ移行し、そうでなければリターンする。
【００６６】
ステップＳ３２では、車速Ｖが停車を示す（Ｖ≒０）か否かを判定する。車速Ｖが停車を示してればステップＳ３３へ移行し、車速Ｖが停車を示していない（走行中を示す）場合にはステップＳ３６へ移行する。
ステップＳ３３では、初回のアイドルストップ（初回ＩＳ）を経験していない（未経験）か否かを判定する。初回のアイドルストップを経験していなければステップＳ３４へ移行し、経験していればステップＳ３５へ移行する。
【００６７】
ステップＳ３４では、停車中路面勾配推定部１１ａにより推定された路面勾配θSが第一停車中路面判定勾配θPS1以下か否かを判定する。路面勾配θSが第一停車中路面判定勾配θPS1以下であればステップＳ４０へ移行し、そうでなければリターンする。
同様に、ステップＳ３５では、停車中路面勾配推定部１１ａにより推定された路面勾配θSが第二停車中路面判定勾配θPS2以下か否かを判定する。路面勾配θSが第二停車中路面判定勾配θPS2以下であればステップＳ４０へ移行し、そうでなければリターンする。
【００６８】
ステップＳ３６では、ステップＳ３３と同様のステップであり、初回のアイドルストップ（初回ＩＳ）を経験していない（未経験）か否かを判定する。初回のアイドルストップを経験していなければステップＳ３７へ移行し、経験していればステップＳ３８へ移行する。
【００６９】
ステップＳ３７では、走行中路面勾配推定部１１ｂにより推定された路面勾配θCが第一走行中路面判定勾配θPC1以下か否かを判定する。路面勾配θCが第一走行中路面判定勾配θPC1以下であればステップＳ４０へ移行し、そうでなければリターンする。
同様に、ステップＳ３８では、走行中路面勾配推定部１１ｂにより推定された路面勾配θCが第二走行中路面判定勾配θPC2以下か否かを判定する。路面勾配θCが第二走行中路面判定勾配θPC2以下であればステップＳ４０へ移行し、そうでなければリターンする。
【００７０】
これらのステップＳ３０〜Ｓ３８は、アイドルストップ条件を判定するステップである。詳細には、アイドルストップ条件にかかる「その他の条件」の成否がステップＳ３０で判定され、「車速条件」の成否がステップＳ３１及びＳ３２で判定され、「路面勾配条件」の成否がステップＳ３３〜Ｓ３８で判定される。
【００７１】
ステップＳ４０では、アイドルストップを指令する。これによりアイドルストップが実施される。そして、ステップＳ５０へ移行する。
ステップＳ５０では、ステップＳ２０と同様に、診断部１２により各種装置が正常か異常かを診断し、ステップＳ５２では、ステップＳ２２と同様に、ステップＳ５０の診断によって各種装置が異常診断されたか否かを判定する。ただし、アイドルストップに特有の診断も可能となる。異常診断されていればステップＳ８２へ移行し、正常診断されていればステップＳ６０へ移行する。
【００７２】
ステップＳ６０では、再始動条件が成立したか否かを判定する。再始動条件が成立していればステップＳ７０へ移行し、再始動条件が成立していなければリターンする。
ステップＳ７０では、アイドルスタートを指令する。これにより、アイドルスタートが実施される。そして、ステップＳ８０へ移行する。
【００７３】
ステップＳ８０はステップＳ２０及びＳ５０と同様のステップであり、その次のステップＳ８１はステップＳ２２及びＳ５２と同様のステップであり、診断部１２により各種装置が正常か異常かを診断し、その診断によって各種装置が異常診断されたか否かを判定する。ただし、アイドルスタートに特有の診断も可能となる。異常診断されていればステップＳ８２へ移行し、正常診断されていればリターンする。
【００７４】
ステップＳ８２では、フラグＦを０にセットする。そしてリターンする。
また、ステップＳ２３では、フラグＦを０にセットする。そしてステップＳ１００へ移行する。
ステップＳ１００では、アイドルストップの実施を禁止する。例えば、アイドルストップが実施されていれば、アイドルスタートを実施する。そしてリターンする。
【００７５】
〔効果〕
本実施形態のエンジン制御装置は、上述のように構成されるため、以下のような効果を得ることができる。
本実施形態のエンジン制御装置によれば、アイドルストップ制御部１５によるアイドルストップを経験するまでは、走行中路面勾配推定部１１ｂにより推定された路面勾配θCが、平坦路と見做すことのできる勾配値の上限として設定された所定の第一走行中路面判定勾配θPC1以下であることを走行時アイドルストップ条件に含むため、初回のアイドルストップが車両の走行中に実施される場合には、アイドルストップが第一走行中路面判定勾配PC1以下の路面勾配θCが推定されているときに実施される。これにより、本エンジン制御装置にかかる装置が正常か異常か不明な状態あっても、更に言えば、かかる装置に異常があったとしても、アイドルストップが実施された車両の予期せぬ挙動を回避しやすくすることができる。
【００７６】
また、初回のアイドルストップを経験した後には、走行中路面勾配推定部１１ｂにより推定された路面勾配θCが第一走行中路面判定勾配θPC1よりも大きい第二走行中路面判定勾配θPC2以下であることを走行時アイドルストップ条件に含むため、初回のアイドルストップを経験した後には、第一走行中路面判定勾配θPC1よりも大きい第二走行中路面判定勾配θPC2以下であれば、アイドルストップを走行中に実施することができる。つまり、初回のアイドルストップを経験した後には、平坦路に加えて第二走行中路面判定勾配θPC2以下の傾斜路においても、アイドルストップを走行中に実施することができる。したがって、走行中のアイドルストップの実施頻度を増やすことにより、燃費を向上させることができる。
これらより、アイドルストップ中の車両の予期せぬ挙動を回避しやすくするとともに、アイドルストップの実施頻度を増やすことにより燃費を向上させることができる。
【００７７】
初回のアイドルストップを経験した後には、例えばエンジン制御装置にかかる装置が正常である確度が高く、このような場合に、路面勾配θSが第一停車中路面判定勾配θPS1よりも大きい第二停車中路面判定勾配θPS2以下であることを停車時アイドルストップ条件に含むため、停車時のアイドルストップの実施頻度を増やすことにより、車両の予期せぬ挙動を回避しやすくしながら、燃費を向上させることができる。
【００７８】
一方、初回のアイドルストップを経験するまでは、路面勾配θSが第二停車中路面判定勾配θPS2よりも小さい第一停車中路面判定勾配θPS1以下であることを停車時アイドルストップ条件に含むため、初回のアイドルストップが停車時に実施される場合には、緩傾斜路や平坦路といった第一停車中路面判定勾配θPS1以下の傾斜路に車両が位置するため、車両に装備された装置が正常か異常か不明な状態あっても、更に言えば、仮に装置に異常があったとしても、車両の予期せぬ挙動を回避しやすくすることができる。
【００７９】
また、初回のアイドルストップを経験するまでは、路面勾配が第一走行中路面判定勾配θPC1よりも大きい第一停車中路面判定勾配θPS1以下であることを停車時アイドルストップ条件に含むため、初回のアイドルストップは走行中よりも停車時の方が実施されやすい。これにより、車両の走行中における予期せぬ挙動を更に回避しやすくすることができる。
【００８０】
路面勾配取得部１１は、停車中の路面勾配θSを推定する停車中路面勾配推定部１１ａと走行中の路面勾配θCを推定する走行中路面勾配推定部１１ｂとを有するため、車両の走行中及び停止中のそれぞれに応じて適切に路面勾配θを推定することができる。
具体的には、停車中路面勾配推定部１１ａは、Ｇセンサ８により検出された前後加速度αSに基づいて停車中の路面勾配θCを推定し、走行中路面勾配推定部１１ｂは、前後加速度αSに加えて、車速センサ７により検出された車速Ｖやブレーキスイッチ６により検出された制動操作の有無などの車両の走行状態に対応するパラメータに基づいて路面勾配θCを推定するため、勾配推定にかかる外乱を補償して、走行中における路面勾配θCの推定精度を確保することができる。よって、走行中の路面勾配θCをアイドルストップに用いることができ、車両の予期せぬ挙動回避と燃費の向上とを両立させることができる。
【００８１】
アイドルスタート制御部１６は、アイドルストップ中に各種装置が診断部１２により異常と診断された場合にエンジン１をいわば強制的に再始動させるため、各種装置が異常診断されているにもかかわらず、エンジン１が停止し続ける状態を回避することができる。これにより、各種装置の異常による不具合を回避することができる。
【００８２】
アイドルストップ制御部１５は、診断部１２により各種装置が異常と診断された場合にアイドルストップを禁止するため、各種装置が異常診断されているにもかかわらず、エンジン１が停止されるのを回避することができる。これにより、各種装置の異常による不具合を回避することができる。
【００８３】
診断部１２は、エンジン１の自動停止中又は再始動中に作動する各種装置が正常か異常かをエンジン１の自動停止中又は再始動中に診断するため、例えばＤＣ/ＤＣコンバータ３や停車保持装置４といった自動停止中又は再始動中に作動する各種装置を確実に診断することができる。また、作動中の診断が適切な各種装置を診断することができ、診断精度を向上させることができる。
診断部１２は、アイドルストップの実施によりエンジン１が自動的に停止されるとエンジン制御装置が正常か異常かを診断するため、エンジン１の停止中に作動する各種装置の診断を適切に実施することができる。
【００８４】
具体的には、診断部１２は、アイドルストップの実施によるエンジン１の停止中に車両の停止状態を保持する停車保持装置４とこの停車保持装置４をはじめとした各電装機器に電力を供給するＤＣ/ＤＣコンバータ３を診断するため、エンジン１の停止中に、ＤＣ/ＤＣコンバータ３や停車保持装置４の正常が診断されていない或いは異常が診断されている状況では、アイドルストップ及びアイドルスタートが平坦路又は略平坦路において実施されることになる。このため、仮にＤＣ/ＤＣコンバータ３や停車保持装置４が異常であった（故障していた）としても、車両の予期せぬ挙動を防止又は抑制することができる。また、かかる状況で走行時及び停車時のアイドルストップが実施されるため、車両の予期せぬ挙動回避と燃費の向上とを両立させることができる。
【００８５】
［その他］
以上、本発明の実施形態について説明したが、本発明は上述の実施形態に限定されるものではなく、本発明の趣旨を逸脱しない範囲で種々変形して実施することができる。
上述の一実施形態では、ＥＣＵ１０は、「診断条件」及び「アイドルストップ条件」の何れもの成立を判定すると、アイドルストップを実施するものを示したが、少なくとも「アイドルストップ条件」の成立が判定されると、アイドルストップが実施されてもよい。この場合、ＥＣＵ１０から診断部１２を省略することができ、アイドルストップにかかる制御負荷を軽減することができる。
【００８６】
上述の一実施形態では、走行中路面勾配推定部１１ｂがＧセンサ８により検出された前後加速度αSを車両の走行状態に応じて補正して路面勾配θCを推定するものを示したが、これに替えて、停車中における路面勾配θSを示す「ｓｉｎθS」に「（αS−αV）／αS」を乗算補正して走行中における路面勾配θCを求めてもよい。つまり、走行中路面勾配推定部１１ｂは、停車中路面勾配推定部１１ａにより推定された路面勾配θSを車両の走行状態に応じて補正して、路面勾配θCを推定してもよい。この場合にも、停車中の路面勾配θSの推定精度はもちろん、走行中の路面勾配θCの推定精度を確保することができる。したがって、アイドルストップの実施を開始するための条件に走行中の路面勾配θCを用いることができ、車両の予期せぬ挙動を回避しやすくしながら燃費を向上させることができる。
【００８７】
上述の一実施形態では、走行中路面勾配推定部１１ｂが、車両の走行状態に対応するパラメータを用いて走行中の路面勾配を推定するものを示したが、その他、走行路面の画像を用いて走行中の路面勾配を推定してもよいし、広域ネットワーク回線等を介して走行中の路面勾配を取得してもよい。
【００８８】
上述の一実施形態では、路面勾配条件の判定にかかる停車中路面判定勾配θPSが同判定にかかる走行中路面判定勾配θPCよりも急勾配（勾配値が大きい）側に設定されているものを示したが、走行中に推定された路面勾配θCの精度が十分に確保されていれば、停車中路面判定勾配θPSと走行中路面判定勾配θPCとが同勾配に設定されていてもよい。この場合、正常診断前の走行時におけるアイドルストップの実施機会を確保することができる。
【００８９】
一方、ＥＣＵ１０は、路面勾配取得部１１は、走行中であっても停車中の手法で路面勾配を推定演算して取得してもよいし、勾配センサを備え、この勾配センサにより検出された路面勾配をそのまま用いてもよい。この場合、ＥＣＵ１０の演算負荷を軽減することができ、走行中の路面勾配θCの推定演算にかかるセンサ等を省略すれば、簡素な構成に寄与しうる。
【００９０】
上述の一実施形態では、診断部１２による診断タイミングは任意でよいことを示したが、診断部１２による診断タイミングを、初回のアイドルストップの実施時だけにしてもよい。この場合、診断部１２による診断回数を少なくすることができ、ＥＣＵ１０の制御負荷を軽減することができる。
【符号の説明】
【００９１】
１    エンジン
２    バッテリ
３    ＤＣ/ＤＣコンバータ
４    停車保持装置（停車保持手段）
４ａ    制動装置
４ｂ    電動ポンプ
５    その他の装置
６    ブレーキスイッチ
７    車速センサ
８    Ｇセンサ
９    その他の検出器
１０    ＥＣＵ
１１    路面勾配取得部（路面勾配取得手段）
１１ａ    停車中路面勾配推定部
１１ｂ    走行中路面勾配推定部
１２    診断部（診断手段）
１４    アイドルストップ条件判定部
１５    アイドルストップ制御部（アイドルストップ制御手段）
１６    アイドルスタート制御部（アイドルスタート制御手段）
２０    イグニッションスイッチ
θPC1    第一走行中路面判定勾配（第一勾配値）
θPC2    第二走行中路面判定勾配（第二勾配値）
θPS1    第一停車中路面判定勾配（第三勾配値）
θPS2    第二停車中路面判定勾配（第四勾配値）
【図１】
2014234748.tif 000003
【図２】
2014234748.tif 000004
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
車両が所定の設定車速以下で走行中であることを含む所定の走行時アイドルストップ条件、及び前記車両が停車中であることを含む所定の停車時アイドルストップ条件の何れかが成立した際に前記車両に搭載されたエンジンを自動的に停止させるアイドルストップ制御手段と、
前記アイドルストップ制御手段による前記エンジンの自動停止中に所定の再始動条件が成立した際に前記エンジンを自動的に再始動させるアイドルスタート制御手段と、
前記車両の位置する路面の勾配を取得する路面勾配取得手段と、
を備えたエンジン制御装置において、
前記アイドルストップ制御手段による前記エンジンの初回の自動停止を経験するまでは、前記走行時アイドルストップ条件に前記路面勾配取得手段により取得された路面勾配が所定の第一勾配値以下であることを含み、
前記アイドルストップ制御手段による前記エンジンの初回の自動停止を経験した後には、前記走行時アイドルストップ条件に前記路面勾配取得手段により取得された路面勾配が前記第一勾配値よりも大きい第二勾配値以下であることを含み、
前記アイドルストップ制御手段による前記エンジンの初回の自動停止を経験するまでは、前記停車時アイドルストップ条件に前記路面勾配取得手段により取得された路面勾配が前記第一勾配値よりも大きい第三勾配値以下であることを含み、
前記アイドルストップ制御手段による前記エンジンの初回の自動停止を経験した後には、前記停車時アイドルストップ条件に前記路面勾配取得手段により取得された路面勾配が前記第三勾配値よりも大きい第四勾配値以下であることを含む
ことを特徴とする、エンジン制御装置。
【請求項２】
前記路面勾配取得手段は、前記車両の停車中において、前記車両の前後加速度に基づいて推定された路面勾配を取得し、前記車両の走行中において、前記車両の前後加速度と該前後加速度以外の前記車両の走行状態に対応するパラメータとに基づいて推定された路面勾配を取得する
ことを特徴とする、請求項１に記載のエンジン制御装置。
【請求項３】
前記車両に搭載される装置が正常か異常かを診断する診断手段を備え、
前記アイドルスタート制御手段は、前記エンジンの自動停止中に前記診断手段により前記装置が異常と診断された場合、前記エンジンを再始動させる
ことを特徴とする、請求項１又は２に記載のエンジン制御装置。
【請求項４】
前記アイドルストップ制御手段は、前記診断手段により前記装置が異常と診断された場合、前記エンジンの自動停止を禁止する
ことを特徴とする、請求項３に記載のエンジン制御装置。
【請求項５】
前記診断手段は、前記エンジンの自動停止中又は再始動中に作動する前記装置が正常か異常かを前記エンジンの自動停止中又は再始動中に診断する
ことを特徴とする、請求項３又は４に記載のエンジン制御装置。
【請求項６】
前記装置は、前記エンジンの自動停止中かつ前記車両の停車中に前記車両の制動力を維持して停車状態を保持する停車保持手段を含む
ことを特徴とする、請求項３〜５の何れか一項に記載のエンジン制御装置。
【手続補正２】
【補正対象書類名】明細書
【補正対象項目名】００１２
【補正方法】変更
【補正の内容】
【００１２】
そこで、前記アイドルストップ制御手段による前記エンジンの初回の自動停止を経験するまでは、前記停車時アイドルストップ条件に前記路面勾配取得手段により取得された路面勾配が前記第一勾配値よりも大きい第三勾配値以下であることを含み、前記アイドルストップ制御手段による前記エンジンの初回の自動停止を経験した後には、前記停車時アイドルストップ条件に前記路面勾配取得手段により取得された路面勾配が前記第三勾配値よりも大きい第四勾配値以下であることを含むことを特徴としている。
（２）前記路面勾配取得手段は、前記車両の停車中において、前記車両の前後加速度に基づいて推定された路面勾配を取得し、前記車両の走行中において、前記車両の前後加速度と該前後加速度以外の前記車両の走行状態に対応するパラメータとに基づいて推定された路面勾配を取得することが好ましい。
【手続補正３】
【補正対象書類名】明細書
【補正対象項目名】００１３
【補正方法】変更
【補正の内容】
【００１３】
（３）前記車両に搭載される装置が正常か異常かを診断する診断手段を備え、前記アイドルスタート制御手段は、前記エンジンの自動停止中に前記診断手段により前記装置が異常と診断された場合、前記エンジンを再始動させることが好ましい。この再始動は、前記所定の再始動条件が成立しなくても行う。
（４）前記アイドルストップ制御手段は、前記診断手段により前記装置が異常と診断された場合、前記エンジンの自動停止を禁止することが好ましい。
（５）前記診断手段は、前記エンジンの自動停止中又は再始動中に作動する前記装置が正常か異常かを前記エンジンの自動停止中又は再始動中に診断することが好ましい。
（６）前記装置は、前記エンジンの自動停止中かつ前記車両の停車中に前記車両の制動力を維持して停車状態を保持する停車保持手段を含むことが好ましい。
【手続補正４】
【補正対象書類名】明細書
【補正対象項目名】００６３
【補正方法】変更
【補正の内容】
【００６３】
〔フローチャート〕
次に、図２に示すフローチャートを参照して、ＥＣＵ１０で実施される制御手順を説明する。この図２中に示すフラグＦは、０であれば診断部１２により装置の異常が診断されたことを示し、１であれば診断部１２により装置の異常が診断されていないことを示す。このフラグＦは、診断条件の成否にも対応しており、１であれば診断条件の成立を示し、０であれば診断条件の不成立を示す。このフローは、手動によりエンジン１が始動（イグニッションオン）されると開始され、所定の制御処理周期で繰り返し実施される。また、フローチャート中の各ステップは、ＥＣＵ１０のハードウェアに割り当てられた各機能がソフトウェア（コンピュータプログラム）によって動作することで実施される。